(57)【要約】      （修正有）【課題】車いす使用などのハンディキャップの有るユーザに原稿セット作業などの操作性が高められる給紙装置が外付けされる画像形成装置を提供する。【解決手段】複写機本体の側面、低い位置に給紙装置が外付けされ、その共用トレイ１５１ａ（手差し給紙トレイ）に原稿とシートが同時収納される。この共用トレイ１５１ａから送り出された原稿またはシートは画像読取手段１５３ａ，１５３ｂ（スキャナ）により、表裏両面で画像情報の有無が検出される。判定手段１５４は原稿またはシートのいずれであるかを判断する。その判定結果で切替フラッパ１５７を作動させ、シートを作像ユニットに搬送し、原稿を原稿返却搬送路から原稿排紙トレイ１５１ｂに排紙する。共用トレイ１５１ａを取り替えなくても原稿をセットでき、記録紙などのシートを給送できるので、ユーザへの利便が図られる。【選択図】図３
2008153745.tif 000002
【特許請求の範囲】
【請求項１】
給紙部と、
前記給紙部に給紙される原稿またはシートが収納される給紙トレイと、
前記給紙トレイから送り出された原稿またはシートの画像情報を読み取る画像読取手段と、
前記画像読取手段からの画像信号に基づいてシートまたは原稿であることを判定する判定手段と、
前記判定手段の判定結果に基づいた作動信号によってシートを作像ユニットに搬送する搬送路または原稿を返却するための搬送路のいずれかに切替作動する搬送路切替手段と、
を備えたことを特徴とする給紙装置。
【請求項２】
前記画像読取手段は、原稿またはシートの表裏両面に対して画像の有無を検出可能となっていることを特徴とする請求項１に記載の給紙装置。
【請求項３】
前記請求項１または２の給紙装置を有する画像形成装置であって、
前記給紙装置の給紙部は前記画像形成装置本体の側面に設けられ、前記給紙トレイは前記画像形成装置本体の側面に外付けされることを特徴とする画像形成装置。
【請求項４】
前記給紙装置に備わる前記給紙トレイに定型サイズ以外の特殊サイズのシートが収納される場合、前記画像形成装置本体内に定型サイズのシートを収納して作像ユニットに給送する給紙カセットが設けられていることを特徴とする請求項３に記載の画像形成装置。
【発明の詳細な説明】
【技術分野】
【０００１】
本発明は、プリンタを複写機として使用できるようにした多機能複写機である複合機など画像形成装置に関する。また、その画像形成装置に装備される給紙装置に関するものである。
【背景技術】
【０００２】
近年、広く普及してきている複合機の場合、装置本体の設置スペースをできるだけ小さくしかつ操作性を高めるために、一般には原稿読取部（スキャナ）と操作パネルを装置本体の上部に配置して構成している。それらスキャナと操作パネルの設置床面からの高さ寸法は健常者のユーザが操作しやすいように１００ｃｍ前後が適正とされている。しかし、１００ｃｍという設置高さでスキャナに原稿をセットしたり取り除いたりする作業は、車いすなど使用のユーザとか、老人や子供など身長の低いユーザにとって難儀なものとなっている。
【０００３】
ところで、装置本体の内部には定型サイズの記録紙などシートを積載して収納する給紙カセットを有し、この給紙カセットから１枚ずつ分離給送されたシートに対して画像を形成する作像ユニットが備わっている。また、定型サイズ以外の特殊な大判サイズのシートへの画像形成にも対応できるよう、機種によってはそうした特殊サイズのシートを収納して給送する手差し給紙トレイを装置本体の側面に外付け可能となっている。
【０００４】
スキャナを設置高さを下げて装置本体の側面に装着できればハンディキャップを有するユーザにとって利便性が高まる。そこで、高さの低い装置本体の側面に外付けされる手差し給紙トレイに着目することができる。
【０００５】
先に、本出願人は装置本体の側面に外付けされる手差し給紙トレイを取り外せるようにし、スキャナを備えた別の手差し給紙トレイを準備して交換可能とした画像形成装置を提案している（たとえば、特許文献１参照）。すなわち、プリンタとして使用する場合は、特殊サイズのシートに画像形成する必要があれば既存の手差し給紙トレイから当該シートを給送させる。複写機として使用する場合は、既存の手差し給紙トレイを取り外し、別に準備されているスキャナ付き手差し給紙トレイに入れ替える。
【０００６】
また一方、装置本体の側面に設けた原稿載置部から原稿読取部にむけて原稿を搬送し、装置本体の側面に設けた原稿排紙トレイに排出するようにした画像形成装置も提案されている（たとえば、特許文献２参照）。
【０００７】
【特許文献１】特開２００２−３２８５００号公報
【特許文献２】特開２００３−２９４７３号公報
【発明の開示】
【発明が解決しようとする課題】
【０００８】
しかしながら、上記特許文献１の画像形成装置にあっては、装置本体の側面にて外付けの手差し給紙トレイとスキャナ付き手差し給紙トレイとを交換する作業すらハンディキャップを有するユーザには負担といえる。
【０００９】
一方、上記特許文献２の画像形成装置の場合、装置本体の側面に設けた原稿載置部から装置本体の原稿読取部で原稿を搬送するために、装置本体が複雑化して大型化するといった不具合がある。
【００１０】
なお、特許文献１，２に共通する問題点として、原稿読取が片面に限定された構成となっているために多用途性に欠ける。
【００１１】
以上から、本発明の主たる目的は、原稿の読み取りと手差し給紙部の機能であるシート供給を両立した給紙装置によって利便性の高い装置を提供することにある。
【課題を解決するための手段】
【００１２】
上記目的を達成するために、本発明の給紙装置は、給紙部と、前記給紙部に給紙される原稿またはシートが収納される給紙トレイと、前記給紙トレイから送り出された原稿またはシートの画像情報を読み取る画像読取手段と、前記画像読取手段からの画像信号に基づいてシートまたは原稿であることを判定する判定手段と、前記判定手段の判定結果に基づいた作動信号によってシートを作像ユニットに搬送する搬送路または原稿を返却するための搬送路のいずれかに切替作動する搬送路切替手段と、備えたことを特徴とするものである。
【発明の効果】
【００１３】
本発明の給紙装置によれば、搬送される原稿及びシートは、画像読取手段によって原稿と記録材との判別され、その搬送経路が切り替えられるため、原稿読み取りのための原稿給紙と、シートである記録紙の供給とを両立することができてユーザへの利便が図られる。
【発明を実施するための最良の形態】
【００１４】
以下、本発明による画像形成装置とこれに装備される給紙装置のそれぞれ好適な実施形態について、複写機を例に図を参照して詳述する。
【００１５】
図１は、装置本体１００の上部に自動原稿送り装置（ＡＤＦ：Auto Document  Feeder）２００を配置した複写機を示す。図３以下に符号Ｐ１で示す読取対象の原稿はそのＡＤＦ装置２００によって原稿台ガラス１０２上に送られてセットされる。また、光学系１０３を構成する複数のミラーＭとレンズＬｎを有し、原稿Ｐ１から読み取った画像情報に応じた光像を電子写真感光体で像担持体である感光体ドラム１０４上に結像する。また、装置本体１００内の下部には数段複数の給紙カセット１０５が設けられ、操作パネルでユーザが入力して指定した情報や原稿サイズに適合するサイズのシートＰ２を収納した給紙カセット１０５が選択される。選択した給紙カセット１０５から給紙されて分離装置１０５Ａで１枚ずつ分離して搬送されたシートＰ２を搬送部１０９を経由させてレジストローラ１１０まで搬送する。感光体ドラム１０４では静電潜像が形成され、その静電潜像を現像剤（トナー）を用いて現像してトナー像を形成し、その担持したトナー像をシートＰ２に転写する。
【００１６】
転写後のシートＰ２は搬送部１１３によって定着器１１４に搬送され、そこで熱と圧を加えてシートＰ２上の未定着トナー像を永久定着させる。定着後、片面コピーの場合であればそのシートＰ２を排紙反転部１１５に通過させ、排紙ローラ１１６で排紙トレイ１１７へと排出する。それに対して、両面コピーの場合にはそのシートＰ２を、排紙反転部１１５のフラッパ１１８を切替制御して再給紙搬送路１１９を経由させ、反転パス１２０に一時搬送する。ここで、シートＰ２の終端が再給紙搬送路１１９を通過し、反転ローラ１２２にまだ挟持されているタイミングで反転ローラ１２２を逆回転させることで再び装置本体内を搬送される。その後、両面パス１２１を経由してレジストローラ１１０までシートＰ２を搬送後、片面コピーの場合と同様の経路を辿って排紙トレイ１１７に排出される。
【００１７】
つぎに、図２は、装置本体１００の側面に外付けされる本実施形態の給紙装置１５０を示し、図１を参照してその構成および動作について説明する。なお、装置本体１００の側面に外付けされる本実施形態の給紙装置１５０を、装置本体１１０に設けたその他の給紙機構と区別するために以下ではＤＳＦ（Document Sheet Feeder）装置１５０と記す。
【００１８】
車いす利用のユーザなどが作業しやすい高さ位置の装置本体１００の側面に、共用トレイ１５１ａ（手差し給紙トレイ）が外付けされている。図３に示すように、共用トレイ１５１ａは原稿Ｐ１およびシートＰ２を積載して別々に供給可能となっている。共用トレイ１５１ａの下流側には原稿Ｐ１またはシートＰ２を装置本体１００内に送り込むための給紙ローラ１５２が配置されている。給紙ローラ１５２のさらに下流側の搬送路には原稿Ｐ１の場合はその画像情報を読み取るための画像読取手段（スキャナ）１５３ａ，１５３ｂが配置されている。
【００１９】
なお、この複写機では装置本体１００の様々な稼動を統括して制御するＣＰＵやメモリなどからなる制御装置９８７が装備されており、この制御装置９８７はＡＤＦ装置２００やＤＳＦ装置１５０などの関連機器の作動制御をも一括して行うようになっている。
【００２０】
図２に示すように、制御装置９８７は判定手段１５４を有し、画像読取手段１５３ａ，１５３ｂからの出力信号に基づいて画像の有無を、つまり原稿Ｐ１上には画像情報が有り、シートＰ２には画像情報は無いので、どちらであるかを判断する。また、画像読取手段１５３ａ，１５３ｂの下流側の搬送路に切替フラッパ（搬送路切替手段）１５７が配置されている。ユーザの入力操作によるコピー動作の指示信号、あるいは画像読取手段１５３ａ，１５３ｂからの出力信号に基づいて、制御装置９８７は作動信号を切替フラッパ１５７に送出して切替作動させ、ＤＳＦ装置１５０からレジストローラ１１０までシート材を搬送する搬走路の切替を行う。レジストローラ１１０の下流には制御装置９８７からの切替信号によって正逆回転する切替ローラ１５５が配置されている。この切替ローラ１５５の回転を切り替えることで、ＤＳＦ装置１５０から排紙ローラ１５６を経て原稿Ｐ１を原稿排紙トレイ（第２排紙部）１５１ｂに排出する搬送ルートを選択できる。さらに、切替ローラ１５５の回転を切り替えることによって、ＤＳＦ装置１５０からシートＰ２をレジストローラ１１０から画像形成プロセスを実行する感光体ドラム１０４に送り込む搬送ルートを選択できる。
【００２１】
図３は、ＤＳＦ装置１５０の共用トレイ１５１ａにセットされた原稿Ｐ１とシートＰ２の積載状態を模式的に表している。たとえば、複数枚を束ねたシートＰ２を順に搬送する場合のＤＳＦ装置１５０では、原稿Ｐ１の束よりも下方にシートＰ２が積載される順番で共用トレイ１５１ａにセットされる。
【００２２】
図４は、原稿Ｐ１とシートＰ２の搬送切替作動を示す。図３のように原稿Ｐ１は図中実線で、シートＰ２は一点鎖線の破線で示し、共用トレイ１５０から両面パス１２１（図１参照）を経由して搬送される。
【００２３】
たとえば、共用トレイ１５１ａから原稿Ｐ１が給紙ローラ１５２によって送り出されると、画像読取手段１５３ａ，１５３ｂはその原稿Ｐ１上の画像情報を読み取り、その画像信号に基づいて制御装置９８７の判定手段１５４は搬送されてきたシート材が原稿Ｐ１であると判断する。読み取られた画像情報のデータは制御装置のメモリに記憶して格納される。原稿Ｐ１と判断されたならば、その情報は制御装置９８７に送出され、搬送路の切替フラッパ１５４を切り替えてその原稿Ｐ１を切替ローラ１５５に向かって搬送する。切替ローラ１５５に対して制御装置９８７は回転切替信号を送出し、原稿Ｐ１が排紙ローラ１５６にむけて搬送されるよう回転駆動させる。そのようにして原稿Ｐ１は原稿排紙トレイ１５１ｂに戻される。
【００２４】
かかる原稿Ｐ１の給送に続いて、共用トレイ１５１ａからシートＰ２が給紙ローラ１５２によって給送されると、それを画像読取手段１５３ａ，１５３ｂが読み取り、画像信号が無いことから判定手段１５４は給送されてきたシート材がシートＰ２であると判断する。原稿Ｐ１と同じく切替ローラ１５５にむけて搬送されたシートＰ２の終端が挟持される所定のタイミングで、シートＰ２をレジストローラ１１０にむけて送り込むべく切替ローラ１５５の回転方向を切り替える。それによってシートＰ２は作像プロセスを実行する感光体ドラム１０４へと搬送される。但し、このシートＰ２の場合、給紙カセット１０５から給送するか、それともＤＳＦ装置１５０の共用トレイ１５１ａから給送するかは、ユーザ操作による入力信号で決定できるし、共用トレイ１５１ａ内のシートＰ２の有無判断で自動選択することも可能である。
【００２５】
つぎに、図５〜図１０の動作フローチャートを参照して、ＤＳＦ装置１５０の作動を中心に複写機の装置本体１００の作動の一例について説明する。図２〜図４で作動の要旨が説明されたので、以下のステップ♯については省略した部分がある。
【００２６】
まず、原稿Ｐ１がＡＤＦ２００にセットされているか否かを制御装置９８７が判断する（ステップ：♯１）。原稿Ｐ１がセットされていないとき（Ｎｏ）、原稿Ｐ１がＤＳＦ装置１５０の共用トレイ１５１ａにセットされているか否かを制御装置９８７が判断する（ステップ：♯２）。共用トレイ１５１ａに原稿Ｐ１がセットされておれば（Ｙｅｓ）、ユーザがコピー動作開始を指示するキー入力による信号の有無を制御装置９８７が判定する（ステップ：♯３）。キーが押された場合、または共用トレイ１５１ａに原稿Ｐ１がセットされていなければ（Ｎｏ）、ユーザによって画像形成装置のコピー動作を開始するキー入力を制御装置９８７が判定する（ステップ：♯３）。キーが押された場合（ステップ：♯４）、図６に示すように、原稿台ガラス１０２上の画像の読み取りを行ってデータを記録し（ステップ：♯５）、給紙カセット１０５からシートＰ２を給紙して搬送するように制御装置９８７が制御する（ステップ：♯６）。画像形成プロセスの感光体ドラム１０４で画像が形成された後（ステップ：♯７）、排紙トレイ１１７にシートＰ２を排出するように制御装置９８７が制御する（ステップ：♯８）。ステップ＃２後、ユーザによるコピー動作を開始するキー入力がなければ、ステップ＃１の処理に戻る。
【００２７】
図５において、ステップ＃１で原稿Ｐ１がセットされているとき、シートＰ２がＤＳＦ装置１５０の共用トレイ１５１ａにセットされているか否かを制御装置９８７が判定する（ステップ：♯９）。シートＰ２がセットされてない場合（Ｎｏ）、ユーザによって画像形成装置のコピー動作を開始するキー入力を制御装置９８７が判定する（ステップ：♯１０）。キー入力がなければ（Ｎｏ）、ステップ＃９の処理へ戻って、キーが押されてキー入力信号が有った場合（Ｙｅｓ）、図７に示すように、ＡＤＦ装置２００にセットされた原稿Ｐ１を搬送するように制御装置９８７が制御する（ステップ：♯１１）。原稿Ｐ１の画像を読み取り（ステップ：♯１２）、データを記録したのち（ステップ：♯１３）、ＡＤＦ装置２００に搬送すべき原稿Ｐ１があるか否かを制御装置９８７がチェックする（ステップ：♯１４）。原稿Ｐ１があればステップ＃１１に進行し、原稿Ｐ１がなければＡＤＦ装置２００の原稿搬送を終了する（ステップ：♯１５）。ステップ＃１４後の別のルーチンとして、給紙カセット１０５からシートＰ２を給紙搬送し（ステップ：♯１６）、画像形成を経た後（ステップ：♯１７）、排紙トレイ１１７にシートＰ２を排出するように制御装置９８７が制御する（ステップ：♯１８）。
【００２８】
図１のステップ＃９において、シートＰ２が共用トレイ１５１ａにセットされておれば（Ｙｅｓ）、原稿Ｐ１を供給するのはＡＤＦ２００かそれともＤＳＦ装置１５０かをユーザが選択して指示する（ステップ：♯１９）。ユーザがＡＤＦ２００を選択した場合は、続けてシートＰ２の供給部を給紙カセット１０５かそれともＤＳＦ装置１５０かによってユーザは選択して指示する（ステップ：♯２０）。ユーザが給紙カセット１０５を選択した場合は、ユーザによって複写機のコピー動作を開始するキー入力を判定する（ステップ：♯２１）。ステップ＃２１でキー入力がなければ、ステップ＃２０の処理へ戻り、キーが押された場合はステップ＃１１の処理に移行する。
【００２９】
ステップ＃２０において、ユーザがＤＳＦ装置１５０を選択した場合は、ユーザによって画像形成装置のコピー動作を開始するキー入力を判定する（ステップ：♯２２）。ステップ＃２２でキー入力がなければ、ステップ＃２０の処理へ戻る。図８に示すように、キーが押された場合はＡＤＦ２００にセットされた原稿Ｐ１を搬送し（ステップ：♯２３）、画像を読み取り（ステップ：♯２４）、データを記録後（ステップ：♯２５）、ＡＤＦ２００に搬送すべき原稿Ｐ１があるか否かをチェックするように制御装置９８７が制御する（ステップ：♯２６）。原稿Ｐ１があればステップ＃２３に進み、原稿Ｐ１がなければＡＤＦ２００の原稿搬送を終了する（ステップ：♯２７）。一方、ステップ＃２６後の別のルーチンとして、給紙カセット１０５からシートＰ２を給紙搬送し（ステップ：♯２８）、画像形成後（ステップ：♯２９）、排紙トレイ１１７にシートＰ２を排出するように制御装置９８７が制御する（ステップ：♯３０）。
【００３０】
ステップ＃１９において、ユーザがＤＳＦ装置１５０を選択した場合は、ユーザによって複写機のコピー動作を開始するキー入力を判定する（ステップ：♯３１）。ステップ＃３１でキー入力がなければ、ステップ＃１９の処理へ戻り、キーが押された場合は続けてシートＰ２の供給部を給紙カセット１０５にするか、ＤＳＦ装置１５０からかをユーザは選択して指示する（ステップ：♯３２）。ステップ♯３２でユーザがＤＳＦ装置１５０を選択した場合は、ＤＳＦ装置１５０の共用トレイ１５１ａ上にセットされたシートＰ２を搬送するように制御する（ステップ：♯３３）。ＤＳＦ装置１５０の下流側に位置する画像読取手段１５３ａ，１５３ｂにてシート材への画像形成域の両面画像を読み取るように制御装置９８７が制御する（ステップ：♯３４）。
【００３１】
つぎに、図９に示すように、ステップ♯３５において両面の少なくとも一方に画像があるか否かを判定する。画像があれば原稿Ｐ１としてデータに記録する（ステップ：♯３６）。さらに、ＤＳＦ装置１５０にシートＰ２が有るか否かを制御装置９８７が判定し（ステップ：♯３７）、有る場合（Ｙｅｓ）はステップ＃３３へ移行する。無い場合は（Ｎｏ）、ＤＳＦ装置１５０に対してシートＰ２を補給する旨の確認表示をするように制御装置９８７が制御し（ステップ：♯３８）、ステップ＃３７の処理へ戻る。また、ステップ＃３５で画像がないと制御装置９８７が判定した場合は、その読み取り画像が最初に搬送したシートＰ２のものであるかを制御装置９８７が判定する（ステップ：♯３９）。最初のシートＰ２であれば原稿画像として認識せず、原稿読取エラーとし（ステップ：♯４０）、第２排紙部である原稿排紙トレイ１５１ｂに原稿Ｐ２を排出するように制御装置９８７が制御する（ステップ：♯４１）。原稿Ｐ１とシートＰ２のセット順番の確認を促すためのエラー表示を制御装置９８７がさせる（ステップ：♯４２）。また、ステップ＃３９で最初のシートＰ２でない場合は、シート画像の読み取りを終了する（ステップ：♯４３）。
【００３２】
ステップ＃３３の後、シート材が原稿排紙トレイ１５１ｂに搬送されるよう搬送路の切替フラッパ１５７の位置と切替ローラ１５５の駆動を制御装置９８７が切り替え（ステップ：♯４４）、シート材を原稿排紙トレイ１５１ｂに排出する（ステップ：♯４５）。次いでその原稿排紙トレイ１５１ｂにシート材の排出が終了したか否かを制御装置９８７が判断する（ステップ：♯４６）。シート材の排出が終了していない場合は、ステップ＃４６を繰り返し処理する。シート材の排出が終了した場合は、ステップ＃４３の処理を受け、給紙装置１５０の共用トレイ１５１ａ上に収納されているシートＰ２を搬送開始するように制御装置９８７が制御する（ステップ：♯４７）。シートＰ２であるシート材が排紙トレイ１１７に搬送されるよう搬送路の切替フラッパ１５７の位置と切替ローラ１５５の駆動を制御装置９８７が切り替える（ステップ：♯４８）。ステップ＃３４における画像の印字面の結果によって決定された片面または両面コピーのいずれかの処理フローに基づいた画像形成処理を経た後（ステップ：♯４９）、排紙トレイ１１７に排出するように制御装置９８７が制御する（ステップ：♯５０）。
【００３３】
ステップ＃３２において、ユーザがシートＰ２の供給部として給紙カセット１０５を選択した場合は、ＤＳＦ装置１５０の共用トレイ１５１ａ上にセットされている原稿Ｐ１が搬送される（ステップ：♯５１）、ＤＳＦ装置１５０の下流側に位置する画像読取手段１５３ａ，１５３ｂにて原稿Ｐ１の画像形成域の両面画像を読み取り（ステップ：♯５２）、画像データを記録して（ステップ：♯５３）、ＤＳＦ装置１５０の共用トレイ１５１ａ上に原稿Ｐ１が有るか否かを判断する（ステップ：♯５４）。ＤＳＦ装置１５０にて原稿Ｐ１が有れば、ステップ＃５１を繰り返し処理する。ＤＳＦ装置１５０の共用トレイ１５１ａ上に原稿Ｐ１が無くなった場合、ＤＳＦ装置１５０の共用トレイ１５１ａ上の原稿Ｐ１の搬送を終了する（ステップ：♯５５）。
【００３４】
一方、図１０に示すように、ステップ♯５１後の別のルーチンとして、原稿Ｐ１が補助トレイ１５１ｂに搬送されるよう搬送路の切替フラッパ１５７の位置と切替ローラ１５５の駆動を制御装置９８７が切り替える（ステップ：♯５６）。原稿Ｐ１を原稿排紙トレイ１５１ｂに排出し（ステップ：♯５７）、原稿排紙トレイ１５１ｂへの原稿Ｐ１の排出が終了したか否かを制御装置９８７が判断する（ステップ：♯５８）。原稿Ｐ１の排出が終了していない場合は、ステップ＃５７を繰り返し処理する。原稿Ｐ１の排出が終了した場合は、原稿Ｐ１が排紙トレイ１１７に搬送されるよう搬送路の切替フラッパ１５７の位置と切替ローラ１５５の駆動を制御装置９８７が切り替える（ステップ：♯５９）。ステップ＃５５とステップ＃５９の処理が終了すると、給紙カセット１０５からシートＰ２を給紙し（ステップ：♯６０）、ステップ＃５２における画像の印字面の結果によって決定された片面または両面コピーのいずれかの処理フローに基づいた画像形成処理を終えた後（ステップ：♯６１）、排紙トレイ１１７にむけて排出するように制御装置９８７が制御する（ステップ：♯６２）。
以上から構成および動作から明らかなように、本実施形態の複写機は、原稿Ｐ１を読み取る画像読取手段（スキャナ）と、シートＰ２を給送する給紙装置の両機能を備えたＤＳＦ装置１５０を装置本体１００の側面の最適高さ位置に設けている。したがって、車いす使用のユーザ、老人や子供など身長の低いユーザは、装置本体１００の上部に配置されている既存のスキャナを使用しないで済む。その代わりに装置本体１００の側面の低い位置に有るＤＳＦ装置１５０の共用トレイ１５１ａに原稿Ｐ１を楽にセットすることができる。
【図面の簡単な説明】
【００３５】
【図１】本発明によるＤＳＦ装置を装備した画像形成装置例の複写機を示す図。
【図２】本実施形態のＤＳＦ装置を示す図。
【図３】本実施形態における共用トレイ上に原稿とシートが積載された状態を示す斜視図。
【図４】本実施形態のＤＳＦ装置で原稿とシートの搬送切替を示す図。
【図５】本実施形態のＤＳＦ装置を含む複写機の作動を示す動作フローチャート。
【図６】本実施形態のＤＳＦ装置を含む複写機の作動を示す動作フローチャート。
【図７】本実施形態のＤＳＦ装置を含む複写機の作動を示す動作フローチャート。
【図８】本実施形態のＤＳＦ装置を含む複写機の作動を示す動作フローチャート。
【図９】本実施形態のＤＳＦ装置を含む複写機の作動を示す動作フローチャート。
【図１０】本実施形態のＤＳＦ装置を含む複写機の作動を示す動作フローチャート。
【符号の説明】
【００３６】
１００    装置本体
２００    自動原稿送り装置（ＡＤＦ装置）
１０２    原稿台ガラス
１０３    光学系
Ｍ        ミラー
Ｌｎ      レンズ
１０４    感光体ドラム
１０５    給紙カセット
１０５Ａ  分離装置
Ｐ１      原稿
Ｐ２      記録紙のシート
１０９    搬送部
１１０    レジストローラ
１１３    搬送部
１１４    定着器
１１５    排紙反転部
１１６    排紙ローラ
１１７    排紙トレイ
１１８    切替フラッパ（搬送路切替手段）
１１９    再給紙搬送路
１２０    反転パス
１２２    反転ローラ
１２１    両面パス
１５０    給紙装置（ＤＳＦ装置）
１５１ａ  共用トレイ（手差し給紙トレイ）
１５１ｂ  原稿排紙トレイ
１５２    給紙ローラ
１５３ａ，１５３ｂ  画像読取手段（スキャナ）
１５４    判定手段
１５５    切替ローラ
１５６    原稿排紙ローラ
１５７    切替フラッパ（搬送路切替手段）
９８７    制御装置
【図１】
2008153745.tif 000003
【図２】
2008153745.tif 000004
【図３】
2008153745.tif 000005
【図４】
2008153745.tif 000006
【図５】
2008153745.tif 000007
【図６】
2008153745.tif 000008
【図７】
2008153745.tif 000009
【図８】
2008153745.tif 000010
【図９】
2008153745.tif 000011
【図１０】
2008153745.tif 000012